(57)【要約】【課題】見る角度に応じて視認できる文字、記号、絵柄などが変化するという、意匠性の高い光輝性を有するチェンジングプリントを提供する。【解決手段】本考案のチェンジングプリント１０は、被印刷物１１と、この被印刷物１１の被印刷面１１ａにスクリーン印刷法により、透明インキまたは着色インキが等間隔に平行に印刷されてなる複数の凸型の線状パターン１２とを備えたことを特徴とする。【選択図】図１
0003127285.tif 000002
【実用新案登録請求の範囲】
【請求項１】
被印刷物と、該被印刷物の被印刷面にスクリーン印刷法により、透明インキまたは着色インキが等間隔に平行に印刷されてなる複数の凸型の線状パターンとを備えたことを特徴とするチェンジングプリント。
【請求項２】
前記凸型の線状パターンの幅は、印刷物と視認者との距離が１ｍ未満の場合、５０μｍ以上、２００μｍ以下であることを特徴とする請求項１に記載のチェンジングプリント。
【請求項３】
前記凸型の線状パターンの幅は、印刷物と視認者との距離が１ｍ以上の場合、１００μｍ以上、１ｍｍ以下であることを特徴とする請求項１に記載のチェンジングプリント。
【請求項４】
前記凸型の線状パターンの厚みは、その幅の１０％であることを特徴とする請求項１ないし３のいずれか１項に記載のチェンジングプリント。
【請求項５】
前記被印刷物の被印刷面は、鏡面光沢があることを特徴とする請求項１ないし４のいずれか１項に記載のチェンジングプリント。
【考案の詳細な説明】
【技術分野】
【０００１】
本考案は、パンフレットや書籍などの表紙・表装、包装、ポスター、ディスプレイなどに用いられるチェンジングプリントに関する。
【背景技術】
【０００２】
従来、金属のような光沢を有する包装材としては、例えば、アルミフレークおよび微粒子被覆パール顔料からなる光輝性顔料粒子を含有する印刷インキ層と、この印刷インキ層の上に設けたクリヤー塗装とからなり、印刷インキ層の平均膜厚、印刷インキ層中に存在する光輝性顔料粒子の面積から算出される光輝性顔料粒子の平均粒径、および、印刷インキ層中に占める光輝性顔料粒子の面積率を最適化することにより、優れた光輝性を有する包装体が提案されている（例えば、特許文献１参照）。
【特許文献１】特開２００２−１１４９３４号公報
【考案の開示】
【考案が解決しようとする課題】
【０００３】
上記の従来技術では、包装材は金属のような、優れた光輝性を有するものの、見る角度に応じて視認できる文字、記号、絵柄などが変化するという、意匠性の高い光輝性を有していなかった。
【０００４】
本考案は、前記事情に鑑みてなされたもので、見る角度に応じて視認できる文字、記号、絵柄などが変化するという、意匠性の高い光輝性を有するチェンジングプリントを提供することを目的とする。
【課題を解決するための手段】
【０００５】
本考案の請求項１に係るチェンジングプリントは、被印刷物と、該被印刷物の被印刷面にスクリーン印刷法により、透明インキまたは着色インキが等間隔に平行に印刷されてなる複数の凸型の線状パターンとを備えたことを特徴とする。
【０００６】
本考案の請求項２に係るチェンジングプリントは、本考案の請求項１に係るチェンジングプリントおいて、前記凸型の線状パターンの幅は、印刷物と視認者との距離が１ｍ未満の場合、５０μｍ以上、２００μｍ以下であることを特徴とする。
【０００７】
本考案の請求項３に係るチェンジングプリントは、本考案の請求項１に係るチェンジングプリントおいて、前記凸型の線状パターンの幅は、印刷物と視認者との距離が１ｍ以上の場合、１００μｍ以上、１ｍｍ以下であることを特徴とする。
【０００８】
本考案の請求項４に係るチェンジングプリントは、本考案の請求項１ないし３のいずれか１項に係るチェンジングプリントおいて、前記凸型の線状パターンの厚みは、その幅の１０％であることを特徴とする。
【０００９】
本考案の請求項５に係るチェンジングプリントは、本考案の請求項１ないし４のいずれか１項に係るチェンジングプリントおいて、前記被印刷物の被印刷面は、鏡面光沢があることを特徴とする。
【考案の効果】
【００１０】
本考案のチェンジングプリントは、被印刷物と、該被印刷物の被印刷面にスクリーン印刷法により、透明インキまたは着色インキが等間隔に平行に印刷されてなる複数の凸型の線状パターンとを備えたので、チェンジングプリントを見る角度に応じて、視認できる文字、記号、絵柄などを変化させることができる。これにより、より強い視覚的な効果を表現することができる。
【考案を実施するための最良の形態】
【００１１】
本考案のチェンジングプリントの最良の形態について説明する。
なお、この形態は、考案の趣旨をより良く理解させるために具体的に説明するものであり、特に指定のない限り、本考案を限定するものではない。
【００１２】
図１は、本考案のチェンジングプリントの一実施形態を示す概略図であり、（ａ）は平面図、（ｂ）は（ａ）のＡ−Ａ線に沿う断面図である。
図１中、符号１０はチェンジングプリント、１１は被印刷物、１２は線状パターン、１３はグループ、をそれぞれ示している。
このチェンジングプリント１０は、被印刷物１１と、この被印刷物１１の被印刷面１１ａにスクリーン印刷法により、透明インキまたは着色インキが等間隔に平行に印刷され、硬化されてなる複数の凸型の線状パターン１２とから概略構成されている。このチェンジングプリント１０では、線状パターン１２の幅と間隔が等しくなっている。
【００１３】
また、等間隔に平行に形成された複数の凸型の線状パターン１２（１２Ａ，・・・，１２Ｊ）は、１つのグループ１３（１３Ａ，・・・，１３Ｊ）を形成している。
そして、複数のグループ１３の各グループ１３Ａ，・・・，１３Ｊは、隣り合うグループ１３Ａ，・・・，１３Ｊとの関係において、被印刷物１１の被印刷面１１ａに形成された、それぞれの線状パターン１２Ａ，・・・，１２Ｊの向きが異なっている。
なお、このチェンジングプリント１０では、グループ１３Ａ、グループ１３Ｂ、グループ１３Ｃ、グループ１３Ｄ、グループ１３Ｅ、グループ１３Ｆ、グループ１３Ｇ、グループ１３Ｈ、グループ１３Ｉ、グループ１３Ｊの順に、線状パターン１２が被印刷物１１の被印刷面１１ａに形成され向きが少しずつ変化している。
【００１４】
凸型の線状パターン１２の長手方向と垂直な断面の形状は、特に限定されないが、半円形状、三角形状などをなしていてもよい。
線状パターン１２の幅（図１（ｂ）に示すα）は、印刷物と視認者との距離が１ｍ未満の場合、すなわち、印刷物を手元で見るような場合、５０μｍ以上、２００μｍ以下であることが好ましく、１００μｍ以上、１５０μｍ以下がより好ましい。また、線状パターン１２の幅（図１（ｂ）に示すα）は、印刷物と視認者との距離が１ｍ以上の場合、すなわち、チェンジングプリント１０がポスターやディスプレイであるような場合、１００μｍ以上、１ｍｍ以下であることが好ましく、３００μｍ以上、５００μｍ以下であることがより好ましい。
【００１５】
また、線状パターン１２の間隔（ピッチ）（図１（ｂ）に示すβ）は、印刷物と視認者との距離が５０ｃｍ以下、すなわち、印刷物を手元で見るような場合、５０μｍ以上、２００μｍ以下であることが好ましく、１００μｍ以上、１５０μｍ以下がより好ましい。。また、線状パターン１２の間隔（ピッチ）（図１（ｂ）に示すβ）は、印刷物と視認者との距離が１ｍ以上、２ｍ以下、すなわち、チェンジングプリント１０がポスターやディスプレイであるような場合、１００μｍ以上、１ｍｍ以下であることが好ましく、３００μｍ以上、５００μｍ以下であることがより好ましい。
【００１６】
さらに、線状パターン１２の厚み（図１（ｂ）に示すγ）は、線状パターン１２の幅（図１（ｂ）に示すα）の１０％であることが好ましい。
【００１７】
被印刷物１１としては、紙、樹脂フィルム、アクリル板、金属板などが用いられ、特に、蒸着紙などの被印刷面が鏡面光沢を有する紙や樹脂フィルムが好ましい。また、光沢ニスを下地に用いたマット紙でも、同様の効果が得られる。
【００１８】
線状パターン１２は、被印刷物１１の被印刷面１１ａに、シルクスクリーン印刷法により、透明インキまたは着色インキを印刷した後、この透明インキまたは着色インキを硬化させてなるものである。線状パターン１２をなす透明インキまたは着色インキとしては、粘度が高めのものが用いられる。
【００１９】
なお、図１には、線状パターン１２が被印刷物１１の被印刷面１１ａに直線的に形成された場合を例示したが、本考案のチェンジングプリントは、これに限定されるものではない。本考案のチェンジングプリントにあっては、被印刷物１１の被印刷面１１ａに形成された線状パターンは曲線をなしていてもよい。
【００２０】
このチェンジングプリント１０は、等間隔に平行に形成された複数の凸型の線状パターン１２Ａ，・・・，１２Ｊが形成する各グループ１３Ａ，・・・，１３Ｊが、隣り合うグループ１３Ａ，・・・，１３Ｊとの関係において、それぞれの線状パターン１２Ａ，・・・，１２Ｊの向きが異なっているので、各グループ１３Ａ，・・・，１３Ｊの線状パターン１２Ａ，・・・，１２Ｊにおいて、光の反射する向きが異なる。したがって、チェンジングプリント１０を見る角度に応じて、視認できるグループ１３の位置が変化する。すなわち、チェンジングプリント１０に対して一定の方向から光を照射した場合、図２に示すように、チェンジングプリント１０をＸ方向に傾けた場合と、チェンジングプリント１０をＹ方向に傾けた場合とでは、視認できるグループ１３の位置が異なる。このような作用を利用することにより、このチェンジングプリント１０によれば、同一面（被印刷面１１ａ）上において、視点の移動に伴って視認できる文字、記号、絵柄などを変化させることもできるので、より強い視覚的な効果を表現することができる。
【００２１】
次に、図１を参照して、このチェンジングプリント１０の製造方法について説明する。
まず、シルクスクリーン印刷法により、被印刷物１１の被印刷面１１ａに、硬化後に所定の高さ、幅、ピッチの線状パターンをなすように、透明インキまたは着色インキを印刷する。
次いで、この透明インキまたは着色インキを硬化させて、所定の高さ、幅、ピッチの線状パターン１２を形成する。これにより、線状パターン１２からなる複数のグループ１３が形成され、チェンジングプリント１０を得る。
【産業上の利用可能性】
【００２２】
本考案のチェンジングプリントは、線状パターンを透明素材（被印刷物）表面に施した場合、印刷面から見ても、印刷面とは反対の面から見ても、同様の効果が得られる。この場合、被印刷物が透明のままでも効果的であるが、被印刷物を見る方から反対側の面に金属光沢のある印刷を施すと、さらに効果的である。
【図面の簡単な説明】
【００２３】
【図１】本考案のチェンジングプリントの一実施形態を示す概略図であり、（ａ）は平面図、（ｂ）は（ａ）のＡ−Ａ線に沿う断面図である。
【図２】本考案のチェンジングプリントの一実施形態を示す概略平面図である。
【符号の説明】
【００２４】
１０・・・チェンジングプリント、１１・・・被印刷物、１２・・・線状パターン、１３・・・グループ。
【図１】
0003127285.tif 000003
【図２】
0003127285.tif 000004